(57)【要約】【課題】通信パケットでイベント起動情報を無線送信する場合のタイミング遅れを抑制する無線通信システムを提供すること。【解決手段】無線通信システムは、プリアンブル３１、同期情報３２、サイズ情報３３、およびヘッダ情報３５を時系列に含む通信パケットを無線送信し、通信パケットにより所定のイベント起動を指示する際、通信パケット内でヘッダ情報３５の前にコマンド情報３４を配する。【選択図】図３
2013171127.tif 000002
【特許請求の範囲】
【請求項１】
プリアンブル、同期情報、サイズ情報、およびヘッダ情報を時系列に含む通信パケットを無線送信する無線通信システムにおいて、
前記通信パケットにより所定のイベント起動を指示する際、前記通信パケット内で前記ヘッダ情報の前にコマンド情報を配することを特徴とする無線通信システム。
【請求項２】
請求項１に記載の無線通信システムにおいて、
前記所定のイベント以外の他のイベント起動を指示する際、前記通信パケット内で前記ヘッダ情報以後にコマンド情報を配することを特徴とする無線通信システム。
【請求項３】
請求項２に記載の無線通信システムにおいて、
前記所定のイベント起動を指示する場合の前記通信パケットを第１サイズとし、前記他のイベント起動を指示する場合の前記通信パケットのサイズを第２サイズとし、
前記ヘッダ情報の前に配するコマンド情報は、前記第１サイズを示すサイズ情報であることを特徴とする無線通信システム。
【請求項４】
請求項３に記載の無線通信システムにおいて、
第１通信手段および第２通信手段を有し、
前記第１通信手段は、前記通信パケットを送信し、
前記第２通信手段は、前記第１通信手段から送信された通信パケット内の前記同期情報があらかじめ定めた同期情報と合致する場合に前記サイズ情報が前記第１サイズか否かの判定を行うことを特徴とする無線通信システム。
【請求項５】
請求項４に記載の無線通信システムにおいて、
前記第１通信手段はカメラ側に配され、前記第２通信手段は撮影用照明装置側に配され、
前記所定のイベント起動は、前記第１通信手段から前記第２通信手段へ送信する発光指示であることを特徴とする無線通信システム。
【発明の詳細な説明】
【技術分野】
【０００１】
本発明は、無線通信システムに関する。
【背景技術】
【０００２】
無線通信を介して接続されるカメラと電子閃光装置間で、電子閃光装置の発光タイミングを伝送する技術が知られている（特許文献１参照）。従来技術では、カメラが電子閃光装置の存在を認識し、撮影時にレリーズシーケンスに入った後、発光タイミングより前からカメラおよび電子閃光装置間で通信を開始する。カメラ内のメカスイッチで発光タイミング（いわゆるＸオン信号）を検出すると、カメラが通信パケットにより送信するデータパターンを変更し、該データパターンの変更を検出した電子閃光装置が発光起動する。
【先行技術文献】
【特許文献】
【０００３】
【特許文献１】特開２００８−１０２３３７号公報
【発明の概要】
【発明が解決しようとする課題】
【０００４】
従来技術では、通信パケットが送信されてから、該パケットを受信してデータパターンの変更を検出するまでのタイミング遅れをどのように抑えるかが問題であった。
【課題を解決するための手段】
【０００５】
本発明は、プリアンブル、同期情報、サイズ情報、およびヘッダ情報を時系列に含む通信パケットを無線送信する無線通信システムに適用され、通信パケットにより所定のイベント起動を指示する際、通信パケット内でヘッダ情報の前にコマンド情報を配することを特徴とする。
【発明の効果】
【０００６】
本発明による無線通信システムでは、通信パケットでイベント起動情報を無線送信する場合のタイミング遅れを抑制できる。
【図面の簡単な説明】
【０００７】
【図１】本発明の一実施の形態による撮影システムの構成を説明する図である。
【図２】カメラ、マスター無線アダプタ、リモート無線アダプタ、および電子閃光装置の構成を例示するブロック図である。
【図３】撮影システムが行う通信を説明する図である。
【図４】通信パケットを説明する図である。
【図５】本実施形態による通信パケットを例示する図である。
【発明を実施するための形態】
【０００８】
以下、図面を参照して本発明を実施するための形態について説明する。図１は、本発明の一実施の形態による撮影システムの構成を説明する図である。この撮影システムは、マスター無線アダプタ１０を装着したカメラ３０と、リモート無線アダプタ１０Ａを装着した電子閃光装置２０Ａとを有する。マスター無線アダプタ１０とリモート無線アダプタ１０Ａとは、無線ＬＡＮなどの規格に従って無線通信を行う。
【０００９】
また、電子閃光装置２０Ａと別に、リモート無線アダプタ１０Ｂを装着した電子閃光装置２０Ｂと、リモート無線アダプタ１０Ｃを装着した電子閃光装置２０Ｃとを有する。マスター無線アダプタ１０とリモート無線アダプタ１０Ｂ、およびマスター無線アダプタ１０とリモート無線アダプタ１０Ｃは、それぞれ上記無線通信を行う。
【００１０】
リモート無線アダプタ１０Ａは、リモート無線アダプタ１０Ｂおよびリモート無線アダプタ１０Ｃと同様に構成され、電子閃光装置２０Ａは、電子閃光装置２０Ｂおよび電子閃光装置２０Ｃと同様に構成されている。
【００１１】
マスター無線アダプタ１０は、カメラ３０のアクセサリシューと嵌合するカメラ取り付け脚を有し、該カメラ取り付け脚によってカメラ３０に装着される。カメラ３０に直接装着されたマスター無線アダプタ１０は、アクセサリシューに備えられる不図示の端子を介してカメラ３０との間で有線通信する。
【００１２】
リモート無線アダプタ１０Ａは、電子閃光装置２０Ａのカメラ取り付け脚と嵌合するアクセサリシューを有し、該アクセサリシューによって電子閃光装置２０Ａに装着される。リモート無線アダプタ１０Ａと電子閃光装置２０Ａとは、アクセサリシューに備えられる不図示の端子を介して有線通信する。リモート無線アダプタ１０Ｂと電子閃光装置２０Ｂとは、アクセサリシューに備えられる不図示の端子を介して有線通信する。リモート無線アダプタ１０Ｃと電子閃光装置２０Ｃとは、アクセサリシューに備えられる不図示の端子を介して有線通信する。
【００１３】
電子閃光装置２０Ａがカメラ取り付け脚を有するのは、電子閃光装置２０Ａをカメラ３０のアクセサリシューに直接装着して使用することも可能にするためである。電子閃光装置２０Ａをカメラ３０に直接装着した場合は、該アクセサリシューに備えられる不図示の端子を介して電子閃光装置２０Ａおよびカメラ３０間で有線通信するので、無線通信は行わない。
【００１４】
なお、図１に例示したシステムは、１台のカメラ３０と３台の電子閃光装置２０Ａ〜２０Ｃで構成する増灯システムであるが、電子閃光装置の数は３台でなくてもよく、５台でも１台でもよい。
【００１５】
図２は、カメラ３０、マスター無線アダプタ１０、リモート無線アダプタ１０Ａ、および電子閃光装置２０Ａの構成を例示するブロック図である。マスター無線アダプタ１０およびリモート無線アダプタ１０Ａは、その構成を同一にしたため、両無線アダプタ間で対応するブロックに対して同一符号を付与して説明する。
【００１６】
また、図示を省略しているが、リモート無線アダプタ１０Ｂおよび電子閃光装置２０Ｂの構成と、リモート無線アダプタ１０Ｃおよび電子閃光装置２０Ｃの構成は、それぞれリモート無線アダプタ１０Ａおよび電子閃光装置２０Ａの構成と同様である。
【００１７】
図２において、カメラ３０は、撮影レンズ３０１と、シャッタ３０２と、撮像素子３０３と、測光センサ３０４と、シャッタ駆動装置３０５と、ＣＰＵ３０６と、操作部材（レリーズスイッチ含む）３０７とを備える。
【００１８】
マスター無線アダプタ１０（リモート無線アダプタ１０Ａ）は、アンテナ１０１と、周波数ダウンコンバータ１０２と、変調送信回路１０３と、復調回路１０４と、発振器１０６と、ＣＰＵ１０８とを含む。電子閃光装置２０Ａは、キセノン管などの発光管２０１と、発光制御回路２０２と、ＣＰＵ２０３とを含む。
【００１９】
−有線通信１−
上述したように、撮影システムを構成するカメラ３０のＣＰＵ３０６と、マスター無線アダプタ１０のＣＰＵ１０８との間の通信は有線通信である。この有線通信は、カメラ３０側のＣＰＵ３０６が主導して必要に応じて適宜行う。
【００２０】
ＣＰＵ３０６とマスター無線アダプタ１０側のＣＰＵ１０８との間の通信は、通常、ＣＰＵ３０６がＣＰＵ１０８へコマンド（たとえば、発光ゲインコマンド、発光コマンド等）およびデータを送信する。コマンドには、電子閃光装置２０Ａに対するもの、電子閃光装置２０Ｂに対するもの、電子閃光装置２０Ｃに対するものが含まれる。
【００２１】
−無線通信−
上述したように、マスター無線アダプタ１０とリモート無線アダプタ１０Ａ、マスター無線アダプタ１０とリモート無線アダプタ１０Ｂ、およびマスター無線アダプタ１０とリモート無線アダプタ１０Ｃとの間の通信は無線通信である。
【００２２】
リモート無線アダプタ１台当たりの無線通信の発生頻度は、カメラ３０のＣＰＵ３０６とマスター無線アダプタ１０のＣＰＵ１０８との間の通信の発生頻度と同じである。すなわち、カメラ３０とマスター無線アダプタ１０との間の有線通信の後、遅滞なく各リモート無線アダプタとの間で無線通信が行われる。
【００２３】
マスター無線アダプタ１０とリモート無線アダプタ１０Ａ（１０Ｂまたは１０Ｃ）との間の通信は、通常、マスター無線アダプタ１０側のＣＰＵ１０８がリモート無線アダプタ１０Ａ（１０Ｂまたは１０Ｃ）側のＣＰＵ１０８へ上記コマンドおよびデータを送信する。コマンドには、通信相手のリモート無線アダプタ１０Ａ（１０Ｂまたは１０Ｃ）に装着されている電子閃光装置２０Ａ（２０Ｂまたは２０Ｃ）に対するものが含まれる。
【００２４】
−有線通信２−
さらに、各リモート無線アダプタ１０Ａ（１０Ｂまたは１０Ｃ）側のＣＰＵ１０８と、電子閃光装置２０Ａ（２０Ｂまたは２０Ｃ）のＣＰＵ２０３との間の通信は、上述したように有線通信である。この有線通信は、各リモート無線アダプタ１０Ａ（１０Ｂまたは１０Ｃ）がマスター無線アダプタ１０との無線通信の後、直ちに行う。
【００２５】
リモート無線アダプタ１０Ａ（１０Ｂまたは１０Ｃ）のＣＰＵ１０８と電子閃光装置２０Ａ（２０Ｂまたは２０Ｃ）のＣＰＵ２０３との間の通信は、通常、リモート無線アダプタ１０Ａ（１０Ｂまたは１０Ｃ）のＣＰＵ１０８が対応する電子閃光装置２０Ａ（２０Ｂまたは２０Ｃ）のＣＰＵ２０３へ上記コマンドおよびデータを送信する。コマンドには、リモート無線アダプタ１０Ａ（１０Ｂまたは１０Ｃ）に装着されている電子閃光装置２０Ａ（２０Ｂまたは２０Ｃ）に対するものが含まれる。
【００２６】
本実施形態は、上記撮影システムにおけるマスター無線アダプタ１０とリモート無線アダプタ１０Ａ〜１０Ｃとの間の無線通信に特徴を有するため、以降の説明は上記無線通信を中心に行う。
【００２７】
マスター無線アダプタ１０のＣＰＵ１０８は、カメラ３０のＣＰＵ３０６からのイベント指示信号（たとえば、発光指示）に基づいて、リモート無線アダプタ１０Ａ（１０Ｂ、１０Ｃ）へ発光指示を送信する。このとき、マスター無線アダプタ１０のＣＰＵ１０８は、発光指示のための制御情報を含んだデジタル通信のフォーマットに則った通信パケットを生成する。図３は、パケットの一例を説明する図である。
【００２８】
図３において、「プリアンブル」３１は、パケットの先頭部分に前置する助走部分のようなデータであり、たとえば、０,０,０,０・・・のような４バイト程度の固定ビットパターンで構成される。同期用データである「ＳＹＮＣ」３２は、パケットの開始を検出するためのパターンであり、本実施形態では１バイトとする。通信方式によってあらかじめ標準となる「ＳＹＮＣ」３２が定められているので、所定の受信期間内に受信側の機器が受信デコードした信号が当該標準の「ＳＹＮＣ」３２と一致する場合にのみ、受信側の機器において以降の受信が有効になる。
【００２９】
長さデータである「Ｌｅｎｇｔｈ」３３は、通信データ容量（パケットサイズを示すバイト数）を示すデータであり、それ以後に続くパケットの情報量を意味する。本実施形態では「Ｌｅｎｇｔｈ」３３を１バイトとする。受信側の機器は、同期用データを検出後に「Ｌｅｎｇｔｈ」３３で示されたデータ数をデコードして１回の受信を終了する。
【００３０】
「ＣＭＤ」３４は、上記制御情報を示すデータ（たとえば、発光の強さ（ゲイン）、発光の長さ、発光タイミングなど）によって構成される。本実施形態では１バイトとする。「Ｈｅａｄｅｒ」３５は、発信元（自己機器）と送信先（通信相手）を示すＩＤ、およびパケットの通し番号等を示すデータによって構成される。
【００３１】
「Ｃｈｅｃｋ  Ｄａｔａ」３６は、パケットの最後に位置するチェック用データである。たとえば、ＣＲＣによる誤り検出データ生成アルゴリズムで生成された２バイトのデータによって構成される。受信側の機器は、チェックデータに基づいてエラー判定を行う。
【００３２】
上記エラー判定によってエラーを判定した場合や、上記「Ｈｅａｄｅｒ」３５内の送信先（通信相手）を示すＩＤが自己のＩＤと一致しない場合には、受信側の機器は所定の誤動作報知を行う。誤動作報知は、不図示の表示器に表示をさせたり、不図示のスピーカから警告音を発生させたりする。
【００３３】
次に、カメラ３０、マスター無線アダプタ１０、リモート無線アダプタ１０Ａ、および電子閃光装置２０Ａがそれぞれ行う処理について説明する。
【００３４】
＜カメラおよびマスター無線アダプタにおける処理＞
カメラ３０のＣＰＵ３０６は、撮影者によるレリーズスイッチ３０７の押下操作（撮影指示）を検出して撮影シーケンスへ入る。そして、マスター無線アダプタ１０へ発光指示を送出する（有線通信１）。なお、撮影指示に先立って、リモート無線アダプタ１０Ａ〜１０Ｃ（すなわち電子閃光装置２０Ａ〜２０Ｃ）のうち発光対象のリモート無線アダプタ（電子閃光装置）が、撮影者による操作部材３０７の操作によって指定されている。指定は、個別指定の他、全指定も可能に構成される。
【００３５】
マスター通信アダプタ１０のＣＰＵ１０８は、カメラ３０からの信号（いわゆるＸオン信号）に基づいて、指定されているリモート無線アダプタ（たとえば１０Ａ〜１０Ｃの全てとする）へ指示を出す（無線通信）。このとき、マスター通信アダプタ１０のＣＰＵ１０８は、上述したパケットを生成する。マスター通信アダプタ１０のＣＰＵ１０８で生成された通信パケットは、マスター無線アダプタ１０内のバッファメモリ１１０へ一時的に格納された後、検出器１０９に出力される。
【００３６】
通信パケットは、マスター無線アダプタ１０の検出器１０９から変調送信回路１０３へ出力される。変調送信回路１０３は、通信パケットを所定の周波数の無線伝送可能な信号に変調した後、搬送波の形でアンテナ１０１を介してリモート無線アダプタ１０Ａ〜１０Ｃへ送信する。この所定の周波数は発振器１０６により決められる。
【００３７】
一方、カメラ３０のＣＰＵ３０６は、上記Ｘオン信号を送出する時点より所定時間前にシャッタ駆動装置３０５に対してシャッタ３０２を開くように指示をする。これによって、電子閃光装置２０Ａ〜２０Ｃの発光およびカメラ３０の露光タイミングを精度よく合わせることができる。
【００３８】
＜リモート無線アダプタおよび電子閃光装置側の処理＞
リモート無線アダプタ１０Ａ〜１０Ｃは、マスター無線アダプタ１０から送信された通信パケットを受信する。リモート無線アダプタ１０Ａ〜１０ＣのＣＰＵ１０８は、アンテナ１０１を介して搬送波の形でパケットを受信する。受信した搬送波は、まず周波数ダウンコンバータ１０２に入力される。周波数ダウンコンバータ１０２は、受信したパケットを所定の低周波数のデータにダウンコンバートした後、復調回路１０４へ出力する。この所定の周波数は発振器１０６により決められる。
【００３９】
復調回路１０４は、入力された信号をデジタル通信パケットに復調して検出器１０５へ出力する。検出器１０５は、読み込んだ通信パケットをバッファメモリ１０７へ出力して記録する。リモート無線アダプタ１０Ａ〜１０ＣのＣＰＵ１０８は、バッファメモリ１０７に記憶されたパケットに含まれるコマンドデータ（上記「ＣＭＤ」３４に相当）に基づいて、電子閃光装置２０Ａ〜２０Ｃへ発光処理の起動を指示する信号を出力する（有線通信２）。
【００４０】
本実施形態では、送信される通信パケットにおいて「Ｌｅｎｇｔｈ」３３の直後に制御情報であるコマンドデータ「ＣＭＤ」３４が配置されている（図３）。本実施形態のリモート無線アダプタ１０Ａ〜１０ＣのＣＰＵ１０８は、通信パケットを受信デコードした信号が本撮影システムが標準とする「ＳＹＮＣ」３２と一致する場合に、１バイト分のデータを受信するごとにその内容を判断する。そして、「Ｌｅｎｇｔｈ」３３が示すデータ数が所定値であって、かつ、「ＣＭＤ」３４のデータが発光コマンドである場合に、当該コマンドデータから発光の強さ（ゲイン）、発光の長さ、発光タイミングを判断して発光起動のための有線通信２を行う。無線アダプタ１０Ａ〜１０ＣのＣＰＵ１０８は、通信パケットを受信デコードした信号が上記「ＳＹＮＣ」３２と一致しない場合には、当該パケットに応じた処理をしない。
【００４１】
電子閃光装置２０Ａ〜２０ＣのＣＰＵ２０３は、発光起動指示に応じて発光起動を行う。具体的には、発光タイミングに応じて発光制御回路２０２へ指示を送り、発光管２０１を所定ゲインで所定時間発光させる。
【００４２】
リモート無線アダプタ１０Ａ〜１０ＣのＣＰＵ１０８は、上記有線通信２によって電子閃光装置２０Ａ〜２０Ｃを発光起動させた後で、「Ｈｅａｄｅｒ」３５内の送信先（通信相手）を示すＩＤと自己のＩＤとを比較する。ＣＰＵ１０８はさらに、「Ｃｈｅｃｋ  Ｄａｔａ」３６によるエラー判定を行う。ＣＰＵ１０８は、ＩＤの不一致を判定した場合や、エラー判定した場合に上記誤動作報知をする。
【００４３】
以上のように、発光時においては、マスター無線アダプタ１０がリモート無線アダプタ１０Ａ〜１０Ｃへ通信パケットを送信するタイミングと、カメラ３０がシャッタ３０２を開くタイミングとを合わせるとともに、マスター無線アダプタ１０からの通信パケットを受信したリモート無線アダプタ１０Ａ〜１０Ｃは、受信した通信パケットに基づいて電子閃光装置２０Ａ〜２０Ｃへ発光起動を指示する信号を出力する。
【００４４】
なお、マスター無線アダプタ１０のＣＰＵ１０８は、カメラ３０のＣＰＵ３０６からのイベント指示信号が発光指示以外の他の指示の場合には、図３に例示したパケットと異なるパケットを生成する。図４は、発光指示と異なる指示のパケットを例示する図である。図４において、「プリアンブル」３１、「ＳＹＮＣ」３２、「Ｌｅｎｇｔｈ」３３、「Ｈｅａｄｅｒ」３５、および「Ｃｈｅｃｋ  Ｄａｔａ」３６は図３の場合と同様であり、「ＣＭＤ」３４が省略される点、データ３７が付加される点が図３と異なる。
【００４５】
マスター無線アダプタ１０のＣＰＵ１０８は、「Ｌｅｎｇｔｈ」３３が示すデータ数を発光指示の場合と異ならせ、パケット全体のデータ数を「Ｌｅｎｇｔｈ」３３が示すデータ数に合わせる。リモート無線アダプタ１０Ａ〜１０ＣのＣＰＵ１０８は、通信パケットを受信デコードした信号が撮影システムが標準とする「ＳＹＮＣ」３２と一致する場合に、１バイト分のデータを受信するごとにその内容を判断するが、「Ｌｅｎｇｔｈ」３３が示すデータ数が発光指示の場合と異なる値であれば、そのパケットは発光指示でないと判断する。
【００４６】
そして、リモート無線アダプタ１０Ａ〜１０ＣのＣＰＵ１０８は、「Ｌｅｎｇｔｈ」３３の直後に「Ｈｅａｄｅｒ」３５が配置され、それ以降のデータ３７に配されるコマンドデータに応じて、電子閃光装置２０Ａ〜２０ＣのＣＰＵ２０３へ所定の処理起動を指示する信号を出力する。
【００４７】
以上説明した実施形態によれば、以下の作用効果が得られる。
（１）撮影システムが有する無線通信システムは、「プリアンブル」３１、「ＳＹＮＣ」３２、「Ｌｅｎｇｔｈ」３３、および「Ｈｅａｄｅｒ」３５を時系列に含む通信パケットを無線送信する。そして、通信パケットにより所定のイベント起動を指示（たとえば発光指示）する際、通信パケット内で「Ｈｅａｄｅｒ」３５の前に「ＣＭＤ」３４を配するようにした。これにより、通常の通信パケットを用いてイベント起動を指示する場合のタイミング遅れを抑制できる。この理由は、上記「ＣＭＤ」３４を、通信パケット内で上記「Ｈｅａｄｅｒ」３５より前に配置することから、「Ｈｅａｄｅｒ」３５以降にコマンドデータを配置する場合に比べて早い段階でコマンドデータを判断できるからである。
【００４８】
また、「ＳＹＮＣ」３２、「Ｌｅｎｇｔｈ」３３、「ＣＭＤ」３４をそれぞれ１バイトで構成したので、３バイトをチェックするだけでコマンドデータを判断できるから、安全性にも配慮できる。
【００４９】
撮影システムを構成するグループ単位で通信パケット内における上記「ＳＹＮＣ」３２を取り決めておけば、マスター無線アダプタ１０のＣＰＵ１０８がパケット内の「ＳＹＮＣ」３２を替えるだけで、グループ別にイベント起動の指示を送信することができる。
【００５０】
（２）上記（１）の無線通信システムにおいて、所定のイベント以外の他のイベント起動を指示する際、通信パケット内で上記「Ｈｅａｄｅｒ」３５以後にコマンド情報を配するので、起動を早めたい所定のイベントと、通常起動でよいイベントとを分けることができる。
【００５１】
（３）マスター無線アダプタ１０およびリモート無線アダプタ１０Ａを有し、マスター無線アダプタ１０は、通信パケットを送信し、リモート無線アダプタ１０Ａは、マスター無線アダプタ１０から送信された通信パケット内の上記「ＳＹＮＣ」３２が本撮影システムにいおいて標準とする「ＳＹＮＣ」３２と一致する場合に上記「Ｌｅｎｇｔｈ」３３が第１サイズか否かの判定を行う。「ＳＹＮＣ」３２と一致しない場合にはサイズ判定をしないことで、以降の無駄な処理を省略することができる。
【００５２】
（４）マスター無線アダプタ１０はカメラ側に配され、リモート無線アダプタ１０Ａは電子閃光装置２０Ａ側に配され、所定のイベント起動は、マスター無線アダプタ１０からリモート無線アダプタ１０Ａへ送信する発光指示とした。これにより、撮影補助光の発光タイミング遅れを抑制できる。
【００５３】
（変形例１）
上記実施形態では、カメラ３０とマスター無線アダプタ１０とをアクセサリシューを介して接続し、リモート無線アダプタ１０Ａ（１０Ｂ、１０Ｃ）と電子閃光装置２０Ａ（２０Ｂ、２０Ｃ）とをそれぞれアクセサリシューを介して接続する例を説明した。この代わりに、マスター無線アダプタ１０の構成をカメラ３０内に内蔵して一体化構成にしてもよい。この場合の有線通信１はカメラ３０内の内部処理として扱う。同様に、リモート無線アダプタ１０Ａ（１０Ｂ、１０Ｃ）の構成を電子閃光装置２０Ａ（２０Ｂ、２０Ｃ）内にそれぞれ内蔵して各電子閃光装置として一体化構成にしてもよい。この場合の有線通信２は各電子閃光装置内の内部処理として扱う。
【００５４】
（変形例２）
図３に例示したパケットの構成に代えて、図５に例示するパケットを用いてもよい。図５において、「プリアンブル」３１、「ＳＹＮＣ」３２、「Ｌｅｎｇｔｈ」３３、「Ｈｅａｄｅｒ」３５、および「Ｃｈｅｃｋ  Ｄａｔａ」３６は図３の場合と同様であり、「ＣＭＤ」３４が省略される点が図３と異なる。
【００５５】
変形例２の場合は、送信される通信パケットにおいて「ＳＹＮＣ」３２の次に配置する「Ｌｅｎｇｔｈ」３３が示すデータ数自体に、「発光起動指示」という意味を関連づける。変形例２のリモート無線アダプタ１０Ａ〜１０ＣのＣＰＵ１０８は、通信パケットを受信デコードした信号が本撮影システムが標準とする「ＳＹＮＣ」３２と一致する場合であって、かつ、「Ｌｅｎｇｔｈ」３３が示すデータ数が所定値である場合に、発光起動のための有線通信２を行う。この場合の発光の強さ（ゲイン）、発光の長さ、発光タイミングは、あらかじめ定めた所定の強さ、長さ、およびタイミングを用いる。電子閃光装置２０Ａ〜２０ＣのＣＰＵ２０３は、発光起動指示に応じて発光起動を行う。
【００５６】
リモート無線アダプタ１０Ａ〜１０ＣのＣＰＵ１０８は、上記有線通信２によって電子閃光装置２０Ａ〜２０Ｃを発光起動させた後で、「Ｈｅａｄｅｒ」３５内の送信先（通信相手）を示すＩＤと自己のＩＤとを比較する。ＣＰＵ１０８はさらに、「Ｃｈｅｃｋ  Ｄａｔａ」３６によるエラー判定を行う。ＣＰＵ１０８は、ＩＤの不一致を判定した場合や、エラー判定した場合に上記誤動作報知をする。変形例２によれば、上記実施形態に比べて発光起動タイミングをさらに早めることができる。
【００５７】
（変形例３）
撮影用照明光源として電子閃光装置を用いる例を説明したが、ＬＥＤ光源を用いる構成にしてもよい。
【００５８】
以上の説明はあくまで一例であり、上記の実施形態の構成に何ら限定されるものではない。
【符号の説明】
【００５９】
１０…マスター無線アダプタ
１０Ａ〜１０Ｃ…リモート無線アダプタ
２０Ａ〜２０Ｃ…電子閃光装置
３０…カメラ
３１…プリアンブル
３２…ＳＹＮＣ
３３…Ｌｅｎｇｔｈ
３４…ＣＭＤ
３５…Ｈｅａｄｅｒ
１０１…アンテナ
１０２…周波数ダウンコンバータ
１０３…変調送信回路
１０４…復調回路
１０５，１０９…検出器
１０７，１１０…バッファメモリ
１０８，３０６…ＣＰＵ
３０２…シャッタ
３０３…撮像素子
３０４…測光センサ
３０５…シャッタ駆動装置
３０７…操作部材
【図１】
2013171127.tif 000003
【図２】
2013171127.tif 000004
【図３】
2013171127.tif 000005
【図４】
2013171127.tif 000006
【図５】
2013171127.tif 000007